(57)【要約】【課題】幅サイズの異なる粘着テープ巻回体の全てに適用することができる粘着テープ連続貼着装置を提供する。【解決手段】互いに連結された左右一対のＬ字型枠体の台部の柱部側後部に移動用車輪が取り付けられ、柱部に移動用操作ハンドルが取り付けられており、さらに台部先端部に粘着テープ圧着ロールが軸支持されている手押し台車からなり、前記一対のＬ字型枠体間には、粘着テープ巻回体を回転自在に表面支持する複数の支持ロールが前記台部の中央部に軸支持され、前記複数の支持ロール上に載置される粘着テープ巻回体の脱落防止ロールを先端部に挟持している一対の回転アームがそれぞれの後端部において前記両柱部に連結されていることを特徴とする、左右両側方が開放されている粘着テープ連続貼着装置。【選択図】　図１
2004035208.tif 000002
【特許請求の範囲】
【請求項１】
互いに連結された左右一対のＬ字型枠体の台部の柱部側後部に移動用車輪が取り付けられ、柱部に移動用操作ハンドルが取り付けられており、さらに台部先端部に粘着テープ圧着ロールが軸支持されている手押し台車からなり、前記一対のＬ字型枠体間には、粘着テープ巻回体を回転自在に表面支持する複数の支持ロールが前記台部の中央部に軸支持され、前記複数の支持ロール上に載置される粘着テープ巻回体の脱落防止ロールを先端部に挟持している一対の回転アームがそれぞれの後端部において前記両柱部に連結されていることを特徴とする、左右両側方が開放されている粘着テープ連続貼着装置。
【請求項２】
前記回転アームは、前記左右一対のＬ字型枠体は、前記両柱部間に配置されている連結バーによって連結されていることを特徴とする請求項１記載の粘着テープ連続貼着装置。
【請求項３】
前記回転アームにはトグルクランプが取りつけられていることを特徴とする請求項１又は２に記載の粘着テープ連続貼着装置。
【請求項４】
前記操作ハンドルは前記回転アームに取りつけられていることを特徴とする請求項１〜３のいずれか１項に記載の粘着テープ連続貼着装置。
【請求項５】
連結バーで連結された左右一対の逆Ｔ字型枠体の後方台部に移動用車輪が取り付けられ、中央柱部に移動用操作ハンドルが取り付けられており、前方台部の先端部に粘着テープ圧着ロールが軸支持されている手押し台車からなり、前記前方台部には、粘着テープ巻回体を回転自在に表面支持する複数の支持ロールが前記両枠体間に軸支持されており、前記柱部には、前記支持ロール上に載置される粘着テープ巻回体の脱落防止ロールを先端部間に挟持している一対の回転アームが回転自在に連結されており、前記枠体の後方台部には、載置される剥離紙巻取芯を回転自在に表面支持する支持ロールと該支持ロールと共に剥離紙用巻取芯を回転自在に表面支持しつつ、前記前方台部の先端部の粘着テープ圧着ロールと回転伝導機構によって連結されていて該剥離紙巻取芯に回転力を付与する回転伝導ロールが軸支持されており、かつ該剥離紙巻取芯の上部を押圧して剥離紙巻取芯を回転伝動ロールに圧接させる押圧ロールを先端部に有する一対の後方側回転アームが前記柱部に連結されていることを特徴とする左右両側方が開放されている粘着テープ連続貼着装置。
【請求項６】
前記後方側回転アームは、該一対の回転アームの中間部と前記一対の柱部との間に張設されている弾性部材の引っ張り力によって前記押圧ロールで前記剥離紙用巻取芯面を押圧する構造であることを特徴とする請求項５記載の粘着テープ連続貼着装置。
【請求項７】
前記後方台部の後端部に剥離紙剥離用ナイフエッジを有することを特徴とする請求項５又は６に記載の粘着テープ連続貼着装置。
【発明の詳細な説明】
【０００１】
【発明の属する技術分野】
本発明は、クッションフロア材やカーペット等を固定するための粘着テープを、粘着テープ巻回体から繰り出しながら床面に連続的に貼り付けるために用いる粘着テープ連続貼着装置に関する。特に、本発明は、通常の粘着テープ巻回体からより幅広サイズの粘着テープ巻回体にまでそのまま適用することができる粘着テープ連続貼着装置に関する。
【０００２】
【従来の技術】
粘着テープ巻回体から繰り出される粘着テープを床面に貼り付ける装置としては、ラインテープ装着機等の粘着テープ貼り付け装置が使用されている。この装置は、粘着テープ巻回体の芯内に固定軸を通して粘着テープ巻回体を支持する構造であるため、装置のフレームより広幅のテープには適用できず、使用対象が限定されるものであった。また、粘着テープの側縁部より外方に装置の横フレームが存在しているため、この横フレームが邪魔して粘着テープの側縁部を壁際にまで位置させることができず、壁際の床面への粘着テープを貼着は手作業で行わなければならないという不都合があった（特開２０００−７３０２３号、実用新案登録第３０３５４５６号等参照）。
【０００３】
【発明が解決しようとする課題】
本発明は、上記のような問題を解決することを目的とするものであり、特に、テープ幅が狭いものから広いサイズのものにまで、装置になんらの変更も加えずにそのまま使用することができ、しかも、壁際の床面への粘着テープの貼り付けも簡単かつ連続的に行うことができる粘着テープ連続貼着装置を提供することを目的とするものである。
【０００４】
【課題を解決するための手段】
上記目的を達成することを可能とした本発明の粘着テープ連続貼着装置は、基本的には、テープ貼着装置の横方向の幅を制限することとなる粘着テープ巻回体ようの固定軸を廃止して粘着テープ巻回体の側方を開放することができる粘着テープ巻回体保持機構を有することを特徴とするものであり、以下の各発明を包含する。
【０００５】
（１）連結バーによって互いに連結された左右一対のＬ字型枠体の台部の柱部側後部に移動用車輪が取り付けられ、柱部に移動用操作ハンドルが取り付けられており、さらに台部の先端部に粘着テープ圧着ロールが軸支持されている手押し台車からなり、前記一対のＬ字型枠体間には、載置される粘着テープ巻回体を回転自在に表面支持する複数の支持ロールが前記台部の中央部に軸支持されており、前記複数の支持ロール上に載置される粘着テープ巻回体の脱落を防止する押えロールを先端部に挟持している一対の回転アームがその後端部において前記両柱部に連結されていることを特徴とする、左右両側方が開放されている粘着テープ連続貼着装置。
【０００６】
（２）前記回転アームは、前記左右一対のＬ字型枠体は、前記両柱部間に配置されている連結バーによって連結されていることを特徴とする（１）項記載の粘着テープ連続貼着装置。
【０００７】
（３）前記回転アームにはトグルクランプが取りつけられていることを特徴とする（１）項又は（２）項に記載の粘着テープ連続貼着装置。
【０００８】
（４）前記操作ハンドルは、前記回転アームに連結されていることを特徴とする請求項１〜３のいずれか１項に記載の粘着テープ連続貼着装置。
【０００９】
（５）連結バーで連結された左右一対の逆Ｔ字型枠体の後方台部に移動用車輪が取り付けられ、中央柱部に移動用操作ハンドルが取り付けられており、前方台部の先端部に粘着テープ圧着ロールが軸支持されている手押し台車からなり、前記前方台部には、粘着テープ巻回体を回転自在に表面支持する複数の支持ロールが前記両枠体間に軸支持されており、前記柱部には、前記支持ロール上に載置される粘着テープ巻回体の脱落防止ロールを先端部間に挟持している一対の回転アームが回転自在に連結されており、前記枠体の後方台部には、載置される剥離紙巻取芯を回転自在に表面支持する支持ロールと該支持ロールと共に剥離紙用巻取芯を回転自在に表面支持しつつ、前記前方台部の先端部の粘着テープ圧着ロールと回転伝導機構によって連結されていて該剥離紙巻取芯に回転力を付与する回転伝導ロールが軸支持されており、かつ該剥離紙巻取芯の上部を押圧して剥離紙巻取芯を回転伝動ロールに圧接させる押圧ロールを先端部に有する一対の後方側回転アームが前記柱部に連結されていることを特徴とする左右両側方が開放されている粘着テープ連続貼着装置。
【００１０】
（６）前記後方側回転アームは、該一対の回転アームの中間部と前記一対の柱部との間に張設されている弾性部材の引っ張り力によって前記押圧ロールで前記剥離紙用巻取芯面を押圧する構造であることを特徴とする（５）項記載の粘着テープ連続貼着装置。
【００１１】
（７）前記後方台部の後端部に剥離紙剥離用ナイフエッジを有することを特徴とする（５）項又は（６）項に記載の粘着テープ連続貼着装置。
【００１２】
【発明の実施の形態】
本発明の粘着テープ連続貼着装置は、連結されている左右一対の枠体からなる台車の台部に軸支持されている複数の支持ロールに粘着テープ巻回体を載置し、該支持ロールによって粘着テープ巻回体を表面支持した状態で粘着テープを繰り出す構造であり、かつ粘着テープ巻回体の幅方向に台車の構造材が存在しないため、粘着テープ巻回体の幅が台車の幅を越えるものであっても、装置構成に何らの変更も加えることなく対応することができる粘着テープ連続貼着装置である。以下、添付図面を参照して本発明の粘着テープ連続貼着装置の内容を具体的に説明する。
【００１３】
図１は、本発明の第１の実施例である粘着テープ連続貼着装置に粘着テープ巻回体を装着した状態の斜視図である。
図２は、図１の装置から粘着テープ巻回体を取り外した後の状態を示す斜視図である。
【００１４】
図３は、図１の粘着テープ連続貼着装置の側面図である。
図４は、図２の粘着テープ連続貼着装置の側面図である。
【００１５】
図５は、本発明の第２の実施例である粘着テープ連続貼着装置に粘着テープ巻回体を装着した状態の斜視図である。
図６は、図５の粘着テープ連続貼着装置から粘着テープ巻回体を取り外した後の状態を示す斜視図である。
図７は、（イ）が図５の粘着テープ連続貼着装置の側面図であり、（ロ）はトグルクランプ部分（Ａ）の拡大図である。
図８は、（イ）が図６の粘着テープ連続貼着装置の側面図であり、（ロ）はトグルクランプ部分（Ｂ）の拡大図である。
【００１６】
図９は、本発明の第３の実施例である粘着テープ連続貼着装置に粘着テープ巻回体と剥離紙巻取芯とを装着した状態の斜視図である。
図１０は、図９の装置から粘着テープ巻回体を取り外した後の状態を示す斜視図である。
図１１は、（イ）が図９の粘着テープ連続貼着装置の側面図であり、（ロ）がナイフエッジ部分（Ｃ）の拡大図であり、（ハ）は、（ロ）におけるエッジ部分がロールである場合の例を示す（Ｃ）の拡大図であり、（ニ）は、剥離紙剥離手段を持たない場合の例を示す（Ｃ）の拡大図である。
図１２は、図１０の粘着テープ連続貼着装置の側面図である。
【００１７】
各図中の符号は、１が台車、２は枠体、２ａは（前方）台部、２ｂは柱部、２ｃは後方台部、３は連結バー、４は車輪、５は粘着テープ圧着ロール、６は支持ロール、７は回転アーム、８は脱落防止ロール、９は操作ハンドル、１０は粘着テープ巻回体、１１は粘着テープ、１２は剥離紙巻取芯用支持ロール、１３は回転アーム、１４は回転伝動ロール、１５は弾性部材、１６は剥離紙巻取芯、１７は押えロール、１８はナイフエッジ、１９は回転伝動機構、２０はトグルクランプを示す。
【００１８】
図１〜図４において、台車１は、台部２ａと台部から直立する柱部２ｂとを有するＬ字型の左右一対の枠体からなり、連結バー３と３本の支持ロール６及び圧着ロール５を間に挟み込んだ状態で軸支持することによって一体化され、台部２ａの柱部２ｂ側後端部に車輪４が取り付けられ、柱部２ｂに取り付けられている回転アームには操作ハンドル９が取りつけられていて移動可能に構成されている。
【００１９】
台車１の柱部２ｂの上部には、回転アーム７が、先端部に粘着テープ巻回体の脱落防止ロール８を軸支持した状態で取り付けられている。
粘着テープ巻回体１０は、３本の支持ロール部６上に載置され、該支持ロールによって表面支持された状態で粘着テープ１１の繰り出しに応じて支持ロール上で回転する。
回転アーム７は、粘着テープ巻回体１０から粘着テープ１１が繰り出される際に脱落防止ロール８を巻回体１０前方に配置させて粘着テープ巻回体１０がテープの繰り出しに伴って前方に脱落することを防止する。
【００２０】
図１〜図４の本発明の第１の実施例の装置では、台車１は操作ハンドル９を前方に押して前方に移動させると、移動に伴って粘着テープ巻回体１０から粘着テープ１１が繰り出され、粘着テープ圧着ロール５で床面Ｆに連続的に押圧接着される。
床面Ｆの所定箇所への粘着テープ１１の貼着が終了したら、粘着テープ１１を切断具で切断し、台車１を次の粘着テープ貼付位置に移動し、粘着テープの粘着テープ巻回体側端部を圧着ロール５面に巻き付け、床面Ｆへの貼着操作が繰り返される。
粘着テープ巻回体を使いきったら、図２及び図４に示されるように操作ハンドル９を引いて回転アーム７を引き上げ、脱落防止ロール８を図示の位置に引き上げ、使用済の粘着テープ巻回体１０が取り除かれる。
【００２１】
壁際の床面への粘着テープの貼着操作は図１に示されているように行うことができる。粘着テープ巻回体１０の側縁を台車１の枠体から外方にはみ出るようにセットし、はみ出た粘着テープ側縁部を壁際に位置させた状態で貼着操作を続けることによって台車の幅に拘束されることなく壁際の床面への粘着テープの貼着が行われる。
また、貼着作業中は操作ハンドルを押している状態となるので、脱落防止ロール８は常に図１及び図３の位置に固定されるので、特別に脱落防止ロール８の跳ね上がりを防止する部材を回転アーム７に取り付ける必要はない。
【００２２】
図５〜図８は、本発明の第２の実施例である粘着テープ連続貼着装置を示す図である。
図５〜図８の粘着テープ連続貼着装置は、図７の（イ）及び図８の（イ）に示されているように、回転アーム７を所定状態に固定するためのトグルクランプ２０を備えており、回転アーム７は操作ハンドルと連結されていない。それ以外は図１〜図４の粘着テープ連続貼着装置と同様の構造を有している。トグルクランプ２０は、図５〜図８に示されるように、先端に脱落防止ロール８を有し、他端部が台車１のＬ字型枠体２の柱部２ｂの上部に連結バー３に近接して回転可能に連結され、中心部が回転アーム７に連結されている。そして、回転アーム７が粘着テープ巻回体の脱落防止の態勢にあるときは図７の状態で回転アームを固定し、回転アーム７を引き上げた場合には、図８の状態で連結バー３に当接して回転アーム７を固定している。
【００２３】
図９〜図１１は、本発明の第３の実施例である粘着テープ連続貼着装置を示す図である。
図９〜図１１の粘着テープ連続貼着装置は、台車１の枠体２が逆Ｔ字型であり、台車１の台部は、柱部２ｂを挟んで前方台部２ａと後方台部２ｃとを有し、車輪は後方台部２ｃの端部に取り付けられている。そして、前方台部に粘着テープ巻回体を載置する３本の支持ロール６と粘着テープ圧着ロール５を有し、粘着テープ巻回体の脱落防止用の脱落防止ロール８を有する回転アーム７が操作ハンドル９に取り付けられている状態で柱部２ｂ上部に回転自在に取り付けられている構造を有している点では第１実施例の装置と変わりはない。
【００２４】
そして、この第３の実施例の装置には、後方台部２ｃに、床面に貼着された粘着テープから剥離される剥離紙を巻取り回収するための剥離紙巻取芯１６を表面支持する剥離紙巻取芯用支持ロール１２と剥離紙巻取芯１６に剥離紙巻取のための回転を付与する回転伝動ロール１４が配置されており、柱部２ｂには、剥離紙巻取芯用支持ロール１２と回転伝動ロール１４上に載置された状態で表面支持されている剥離紙巻取芯が装置から脱落することを防止するための押えロール１７を有する回転アーム１３が配置されている。また、後方台部２ｃの下部には、粘着テープから剥離紙を剥離するためのナイフエッジ１８が配置されているが、このナイフエッジは省略することもできる。
【００２５】
第３の実施例の装置において、剥離紙巻取芯１６は、支持ロール１２と回転伝動ロール１４の上に載置された状態で表面支持され、回転伝動ロール１４の回転によって回転されて剥離紙を巻き取る。回転伝動ロール１４は回転伝動機構１９によって前方台部２ａの粘着テープ圧着ロール５と連結されており、粘着テープ圧着ロール５の回転が回転伝動ロール１４に伝達されるため、前方台部２ａにおける粘着テープ１１の繰り出し速度と同調して後方台部２ｃにおける剥離紙の巻取が行われることとなる。また、剥離紙巻取芯１６の回転伝動ロール１４は、圧着ロール５と周速が一致するか、圧着ロール５よりも僅かに速くなるような回転が得られるロールとすることにより、剥離紙巻取芯へ送られる剥離紙に弛みが生じないようにすることもできる。
【００２６】
後方台部２ｃ上の剥離紙巻取芯１６は、支持ロール１２と回転伝動ロール１４の上に載置された状態で表面支持されているだけであるため、押え部材がないと回転伝動ロールからの回転力によって回転させることができないので、柱部２ｂには、剥離紙巻取芯１６に対する押えロール１７を先端部に有する回転アーム１３が取り付けられている。回転アーム１３は、基端部において柱部２ｂに回転自在に連結され、中心部において弾性部材１５によって柱部２ｂと連結されており、該弾性部材の引っ張り力によって先端部の押えロール１７が常時剥離紙巻取芯１６表面に押圧接触して剥離紙巻取芯１６を回転伝動ロール１４上に押え付けている。
【００２７】
後方台部２ｃの端部の下部には、床面に貼着された粘着テープから剥離紙を剥離するために、図１１の（イ）における囲み部分Ｃの拡大図である（ロ）に示されるようなナイフエッジ１８を取り付けることができる。ナイフエッジ１８は図１１の（ハ）に示すようなロール状のものとすることもできる。また、図１１の（ニ）に示すように、ナイフエッジ１８を有していない構造であっても、貼着された状態の粘着テープからの剥離紙の剥離は行うことができる。しかし、一旦貼着された粘着テープが剥離紙の剥離の際に浮き上がることがあるので、ナイフエッジ１８は装備していることが好ましい。
【００２８】
また、前方台部２ａ上に載置される粘着テープ巻回体１０の脱落防止ロール８を先端部に有する回転アーム７には、前記図５〜図８の本発明の第２の実施例の装置における回転アーム７と同様に、トグルクランプ２０を装備することもできる。
【００２９】
【発明の効果】
以上に説明したように、本発明の粘着テープ連続貼着装置は、粘着テープ巻回体が載置される台車の両側方が開放されていて、台車の横幅よりも幅広の粘着テープ巻回体を装着することができることから、通常の粘着テープ貼着装置では貼着困難な壁際の床面にも人手を煩わすことなく粘着テープを確実に貼着することが可能である。
【００３０】
また、粘着テープ巻回体は支持ロール上に載置されているだけであるので、脱落防止ロールを有する回転アームを持ち上げるだけで簡単に新しい粘着テープ巻回体と交換することができる。
さらに、剥離紙巻取芯を装着するだけで、貼着作業を行いながら、連続的に剥離紙を巻取り回収することが可能な装置構造とすることができる。
【図面の簡単な説明】
【図１】本発明の第１の実施例である粘着テープ連続貼着装置に粘着テープ巻回体を装着した状態の斜視図である。
【図２】図１の装置から粘着テープ巻回体を取り外した後の状態を示す斜視図である。
【図３】図１の粘着テープ連続貼着装置の側面図である。
【図４】図２の粘着テープ連続貼着装置の側面図である。
【図５】本発明の第２の実施例である粘着テープ連続貼着装置に粘着テープ巻回体を装着した状態の斜視図である。
【図６】図５の粘着テープ連続貼着装置から粘着テープ巻回体を取り外した後の状態を示す斜視図である。
【図７】（イ）が図５の粘着テープ連続貼着装置の側面図であり、（ロ）はトグルクランプ部分（Ａ）の拡大図である。
【図８】（イ）が図６の粘着テープ連続貼着装置の側面図であり、（ロ）はトグルクランプ部分（Ｂ）の拡大図である。
【図９】本発明の第３の実施例である粘着テープ連続貼着装置に粘着テープ巻回体と剥離紙巻取芯とを装着した状態の斜視図である。
【図１０】図９の装置から粘着テープ巻回体を取り外した後の状態を示す斜視図である。
【図１１】（イ）が図９の粘着テープ連続貼着装置の側面図であり、（ロ）がナイフエッジ部分（Ｃ）の拡大図であり、（ハ）は、（ロ）におけるエッジ部分がロールである場合の例を示す（Ｃ）の拡大図であり、（ニ）は、剥離紙剥離手段を持たない場合の例を示す（Ｃ）の拡大図である。
【図１２】図１０の粘着テープ連続貼着装置の側面図である。
【符号の説明】
１：台車、２：枠体、２ａ：台部、２ｂ：柱部、３：連結バー、４：車輪、５：粘着テープ圧着ロール、６：支持ロール、７：回転アーム、８：脱落防止ロール、９：操作ハンドル、１０：粘着テープ巻回体、１１：粘着テープ、１２：剥離紙巻取芯用支持ロール、１３：回転アーム、１４：回転伝動ロール、１５：弾性部材、１６：剥離紙巻取芯、１７：押えロール、１８：ナイフエッジ、１９：回転伝動機構、２０：トグルクランプ、Ｆ：床面
【図１】
2004035208.tif 000003
【図２】
2004035208.tif 000004
【図３】
2004035208.tif 000005
【図４】
2004035208.tif 000006
【図５】
2004035208.tif 000007
【図６】
2004035208.tif 000008
【図７】
2004035208.tif 000009
【図８】
2004035208.tif 000010
【図９】
2004035208.tif 000011
【図１０】
2004035208.tif 000012
【図１１】
2004035208.tif 000013
【図１２】
2004035208.tif 000014